(57)【特許請求の範囲】
【請求項１】
第２の基地局の第２のセルに関して取得した調整情報に従って、略ブランク・サブフレームの位置および前記略ブランク・サブフレームの送信電力を第１のセルにサービス提供する第１の基地局により決定するステップと、
前記調整情報、前記略ブランク・サブフレームの位置、および前記略ブランク・サブフレームの送信電力に従って前記第２のセルのフレーム構造を決定するステップと、
を含む、通信方法。
【請求項２】
前記調整情報、前記略ブランク・サブフレームの位置、および前記略ブランク・サブフレームの送信電力に従って前記第２のセルのフレーム構造を決定するステップは、
前記第１の基地局により、前記調整情報、前記略ブランク・サブフレームの位置、および前記略ブランク・サブフレームの送信電力に従って前記第２のセルのフレーム構造を決定し、前記フレーム構造を前記第２の基地局に送信するステップ、
を含む、請求項１に記載の通信方法。
【請求項３】
前記調整情報、前記略ブランク・サブフレームの位置、および前記略ブランク・サブフレームの送信電力に従って前記第２のセルのフレーム構造を決定するステップは、
前記第１の基地局により、前記略ブランク・サブフレームの送信電力と前記略ブランク・サブフレームの位置を前記第２の基地局に送信し、前記第２の基地局が前記調整情報、前記略ブランク・サブフレームの位置、および前記略ブランク・サブフレームの送信電力に従って前記第２のセルのフレーム構造を決定するようにするステップ
を含む、請求項１に記載の通信方法。
【請求項４】
前記第１の基地局により前記調整情報を取得するステップをさらに含み、
前記調整情報は前記第２のセルの現在負荷および前記第２のセルが許容可能な前記第１の基地局の最大送信電力を含み、または、前記調整情報は前記第２のセルの現在負荷と干渉閾値を含む、
請求項１乃至３の何れか１項に記載の通信方法。
【請求項５】
前記第１の基地局により前記調整情報を取得するステップは、
前記第１の基地局により、前記第２のセルが許容可能な前記第１の基地局の最大送信電力を、前記第２のセルの前記干渉閾値と前記第１のセルおよび前記第２のセルの間の経路損失とに従って決定するステップ
または、
前記第１の基地局により、前記第２のセルが許容可能な前記第１の基地局の最大送信電力を前記第２の基地局から受信するステップであって、前記第２のセルが許容可能な前記第１の基地局の最大送信電力は、前記第２の基地局により、前記第２のセルの前記干渉閾値と前記第１のセルおよび前記第２のセルの間の経路損失とに従って決定されるステップと
を含む、請求項４に記載の通信方法。
【請求項６】
前記第１の基地局により、前記略ブランク・サブフレームの送信電力を前記第２のセルが許容可能な前記第１の基地局の最大送信電力に従って決定するステップ
をさらに含む、請求項４および５の何れか１項に記載の通信方法。
【請求項７】
前記調整情報、前記略ブランク・サブフレームの位置、および前記略ブランク・サブフレームの送信電力に従って前記第２のセルのフレーム構造を決定するステップは、
前記第２のセルの前記フレーム構造を、前記第２のセルが許容可能な前記第１の基地局の最大送信電力、前記略ブランク・サブフレームの位置、および前記略ブランク・サブフレームの送信電力に従って決定するステップ
または、
前記第２のセルの前記フレーム構造を前記第２のセルの前記干渉閾値、前記略ブランク・サブフレームの位置、および前記略ブランク・サブフレームの送信電力に従って決定するステップ
を含む、請求項４乃至６の何れか１項に記載の通信方法。
【請求項８】
前記第１のセルは干渉源セルであり、前記第２のセルは犠牲セルである、請求項１乃至７の何れか１項に記載の通信方法。
【請求項９】
前記第１のセルと前記第２のセルは隣接セルである、請求項１乃至８の何れか１項に記載の通信方法。
【請求項１０】
第２の基地局の第２のセルに関する調整情報を受信するように構成された第１の受信器と、
前記調整情報に従って略ブランク・サブフレームの位置と前記略ブランク・サブフレームの送信電力を決定し、前記調整情報、前記略ブランク・サブフレームの位置、および前記略ブランク・サブフレームの送信電力に従って前記第２のセルのフレーム構造を決定するように構成された第１のプロセッサと、
前記フレーム構造を前記第２の基地局に送信するように構成された第１の送信器と、
を備える、基地局。
【請求項１１】
前記調整情報は、前記第２のセルの現在負荷と前記第２のセルが許容可能な前記基地局の最大送信電力を含むか、または、前記調整情報は、前記第２のセルの現在負荷と干渉閾値を含む、請求項１０に記載の基地局。
【請求項１２】
前記第１のプロセッサはさらに、前記第２のセルの前記干渉閾値と前記基地局の第１のセルおよび前記第２のセルの間の経路損失とに従って、前記第２のセルが許容可能な前記基地局の最大送信電力を決定するように構成された、請求項１０または１１に記載の基地局。
【請求項１３】
前記第１のプロセッサはさらに、前記第２のセルが許容可能な前記基地局の最大送信電力に従って前記略ブランク・サブフレームの送信電力を決定するように構成された、請求項１０乃至１２の何れか１項に記載の基地局。
【請求項１４】
前記第１のセルは干渉源セルであり、前記第２のセルは犠牲セルである、請求項１２および１３の何れか１項に記載の基地局。
【請求項１５】
前記第１のセルと前記第２のセルは隣接セルである、請求項１２乃至１４の何れか１項に記載の基地局。
【請求項１６】
基地局であって、
前記基地局の第２のセルに関する調整情報を第１のセルにサービス提供する第１の基地局に送信するように構成された第２の送信器と、
略ブランク・サブフレームの位置と前記略ブランク・サブフレームの送信電力を受信するように構成された第２の受信器であって、前記略ブランク・サブフレームの位置と前記略ブランク・サブフレームの送信電力は前記調整情報に従って前記第１の基地局により決定される第２の受信器と、
前記調整情報、前記略ブランク・サブフレームの位置、および前記略ブランク・サブフレームの送信電力に従って前記第２のセルのフレーム構造を決定するように構成された第２のプロセッサと、
を備える、基地局。
【請求項１７】
前記調整情報は、前記第２のセルの現在負荷と前記第２のセルが許容可能な前記第１の基地局の最大送信電力とを含むか、または、前記調整情報は、前記第２のセルの現在負荷と干渉閾値を含む、請求項１６に記載の基地局。
【請求項１８】
前記第２のプロセッサはさらに、前記第２のセルが許容可能な前記第１の基地局の最大送信電力を前記第２のセルの前記干渉閾値と前記第１のセルおよび前記第２のセルの間の経路損失とに従って決定するように構成された、請求項１６または１７に記載の基地局。
【請求項１９】
前記第１のセルは干渉源セルであり、前記第２のセルは犠牲セルである、請求項１６乃至１８の何れか１項に記載の基地局。
【請求項２０】
前記第１のセルと前記第２のセルは隣接セルである、請求項１６乃至１９の何れか１項に記載の基地局。
【請求項２１】
第２の基地局の第２のセルのフレーム構造を受信するように構成された第３の受信器であって、前記フレーム構造は第１の基地局により第１のセルにおいて送信され、前記フレーム構造は、前記第１の基地局により、前記第２のセルの調整情報、略ブランク・サブフレームのサブフレーム位置、および前記略ブランク・サブフレームの送信電力に従って決定される第３の受信器と、
前記フレーム構造を前記第２の基地局に送信するように構成された第３の送信器と、
を備える、端末装置。
【請求項２２】
前記略ブランク・サブフレームの送信電力は、前記第１の基地局により、前記第２のセルが許容可能な前記第１の基地局の最大送信電力に従って決定される、請求項２１に記載の端末装置。
【請求項２３】
前記第１のセルは干渉源セルであり、前記第２のセルは犠牲セルである、請求項２１および２２の何れか１項に記載の端末装置。
【請求項２４】
前記第１のセルと前記第２のセルは隣接セルである、請求項２１乃至２３の何れか１項に記載の端末装置。
【請求項２５】
略ブランク・サブフレームのサブフレーム位置と前記略ブランク・サブフレームの送信電力とを受信するように構成された第４の受信器であって、前記略ブランク・サブフレームのサブフレーム位置と前記略ブランク・サブフレームの送信電力とは、第１の基地局により第１のセルで送信され、第２の基地局の第２のセルに関する調整情報に従って決定される第４の受信器と、
前記第２の基地局が前記第２のセルに関する前記調整情報、前記略ブランク・サブフレームのサブフレーム位置、前記略ブランク・サブフレームの送信電力に従って前記第２のセルのフレーム構造を決定するように、前記略ブランク・サブフレームのサブフレーム位置と前記略ブランク・サブフレームの送信電力とを前記第２の基地局に送信するように構成された第４の送信器と、
を備える、端末装置。
【請求項２６】
前記略ブランク・サブフレームの送信電力は、前記第１の基地局により、前記第２のセルが許容可能な前記第１の基地局の最大送信電力に従って決定される、請求項２５に記載の端末装置。
【請求項２７】
前記第１のセルは干渉源セルであり、前記第２のセルは犠牲セルである、請求項２５および２６の何れか１項に記載の端末装置。
【請求項２８】
前記第１のセルと前記第２のセルは隣接セルである、請求項２５乃至２７の何れか１項に記載の端末装置。 
【発明の詳細な説明】
【技術分野】
【０００１】
本発明は通信技術の分野に関し、特に、通信方法、基地局、および端末装置に関する。
【背景技術】
【０００２】
第３世代パートナシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ、短縮して３ＧＰＰ）の開発により、より良いデータ送信エクスペリエンスをユーザにもたらすために高ピークのユーザ・スループット、平均的なのユーザ・スループット、およびエッジのユーザ・スループットを提供することができる。一方、ユーザに通信サービスを提供し基地局のカバレッジ内にあるセルの間の干渉問題が発生する。どのようにセル間干渉を効果的に解決し、システム・リソースの利用を改善するかが、業界において解決すべき重要な問題になっている。
【発明の概要】
【課題を解決するための手段】
【０００３】
本発明は、異なるセルの間の干渉の問題を解決するための通信方法、基地局、および端末装置を提供する。
【０００４】
１態様では、本発明は、当該第２の基地局の第２のセルに関して取得した調整情報に従って、略ブランク・サブフレームの位置および当該略ブランク・サブフレームの送信電力を第１のセルにサービス提供する第１の基地局により決定するステップと、当該調整情報、当該略ブランク・サブフレームの位置、および当該略ブランク・サブフレームの送信電力に従って当該第２のセルのフレーム構造を決定するステップとを含む通信方法を提供する。
【０００５】
別の態様では、本発明は、第２の基地局の第２のセルに関する調整情報を受信するように構成された第１の受信器と、当該調整情報に従って略ブランク・サブフレームの位置と当該略ブランク・サブフレームの送信電力を決定し、当該調整情報、当該略ブランク・サブフレームの位置、および当該略ブランク・サブフレームの送信電力に従って当該第２のセルのフレーム構造を決定するように構成された第１のプロセッサと、当該フレーム構造を当該第２の基地局に送信するように構成された第１の送信器とを備える基地局を提供する。
【０００６】
さらに別の態様では、本発明は、当該基地局の第２のセルに関する調整情報を第１のセルにサービス提供する第１の基地局に送信するように構成された第２の送信器と、略ブランク・サブフレームの位置と当該略ブランク・サブフレームの送信電力を受信するように構成された第２の受信器であって、当該略ブランク・サブフレームの位置と当該略ブランク・サブフレームの送信電力は当該調整情報に従って当該第１の基地局により決定される第２の受信器と、当該調整情報、当該略ブランク・サブフレームの位置、および当該略ブランク・サブフレームの送信電力に従って当該第２のセルのフレーム構造を決定するように構成された第２のプロセッサとを備える基地局を提供する。
【０００７】
さらに別の態様では、本発明は、第２の基地局の第２のセルのフレーム構造を受信するように構成された第３の受信器であって、当該フレーム構造は第１の基地局により第１のセルにおいて送信され、当該フレーム構造は、当該第１の基地局により、当該第２のセルの調整情報、略ブランク・サブフレームのサブフレーム位置、および当該略ブランク・サブフレームの送信電力に従って決定される第３の受信器と、当該フレーム構造を当該第２の基地局に送信するように構成された第３の送信器とを備える端末装置を提供する。
【０００８】
さらに別の態様では、本発明は、略ブランク・サブフレームのサブフレーム位置と当該略ブランク・サブフレームの送信電力とを受信するように構成された第４の受信器であって、当該略ブランク・サブフレームのサブフレーム位置と当該略ブランク・サブフレームの送信電力とは、第１の基地局により第１のセルで送信され、第２の基地局の第２のセルに関する調整情報に従って決定される第４の受信器と、当該第２の基地局が当該第２のセルに関する当該調整情報、当該略ブランク・サブフレームのサブフレーム位置、当該略ブランク・サブフレームの送信電力に従って当該第２のセルのフレーム構造を決定するように、当該略ブランク・サブフレームのサブフレーム位置と当該略ブランク・サブフレームの送信電力とを当該第２の基地局に送信するように構成された第４の送信器とを備える端末装置を提供する。
【０００９】
本発明によれば、各略ブランク・サブフレームの送信電力を第２のセルの調整情報に従って適合的に調整することができ、その結果、第１のセルと第２のセルの間の干渉が減少し、当該略ブランク・サブフレーム上の第１のセルのスペクトル効率が改善する。様々な時間領域の送信リソースを、第２のセルの様々なサービス要件に従って柔軟に割り当ててもよい。
【００１０】
本発明の実施形態における技術的解決策をより明確に示すために、下記で当該実施形態を説明するのに必要な添付図面を簡単に説明する。明らかに、下記の説明における添付図面は本発明の幾つかの実施形態を示すにすぎず、当業者は依然として創造的な作業なしにこれらの添付図面から他の図面を導出することができる。
【図面の簡単な説明】
【００１１】
【図１】本発明の第１の実施形態に従う通信方法の略流れ図である。
【図２】本発明の第２の実施形態に従う通信方法の略流れ図である。
【図３】本発明の第３の実施形態に従う通信方法の略流れ図である。
【図４】本発明の第４の実施形態に従う通信方法の略流れ図である。
【図５】本発明に従うネットワークの略図である。
【図６】本発明の第５の実施形態に従う基地局の略図である。
【図７】本発明の第６の実施形態に従う基地局の略図である。
【図８】本発明の第７の実施形態に従う端末装置の略図である。
【図９】本発明の第８の実施形態に従う端末装置の略図である。
【発明を実施するための形態】
【００１２】
本発明の諸実施形態の目的、技術的解決策、および利点をより分かりやすくするために、以下では本発明の諸実施形態における技術的解決策を、本発明の諸実施形態における添付図面を参照して明確に説明する。明らかに、説明した諸実施形態は本発明の諸実施形態の全部ではなく一部にすぎない。当業者が創造的作業なしに本発明の諸実施形態に基づいて取得する他の全ての実施形態は本発明の保護範囲に入るものとする。
【００１３】
当業者は、添付図面は本発明の例示的な実施形態の略図にすぎず添付図面におけるモジュールまたは手続きは本発明の実装に必要でないこともあることは理解される。
【００１４】
諸実施形態における装置のモジュールを諸実施形態で説明する装置内に配置してもよく、または、諸実施形態における当該装置以外の１つまたは複数の装置に配置してもよいことは当業者には理解される。さらに、諸実施形態のモジュールを１つのモジュールに結合してもよく、または、複数のモジュールにさらに分割してもよい。
【００１５】
諸実施形態の方法におけるステップの全部または一部を、関連ハードウェアに指示するプログラムにより実装してもよいことは当業者には理解される。当該プログラムを、コンピュータ読取可能記媒体に格納してもよく、当該プログラムを実行したとき、当該実施形態の方法における手続きが実施される。当該記憶媒体は、ＲＯＭ、ＲＡＭ、磁気ディスク、または光ディスクのような、プログラム・コードを格納できる任意の媒体であってもよい。
【００１６】
本発明の様々な実施形態に適用される通信システムは少なくとも１つの第１の基地局および少なくとも１つの第２の基地局を備える。当該第１の基地局は１つまたは複数の第１のセルにサービス提供し、当該第２の基地局は１つまたは複数の第２のセルにサービス提供する。当該第１のセルは干渉源セルであり、当該第２のセルは犠牲セルであってもよい。当該干渉源セルと犠牲セルは相対的な概念であり、当該干渉源セルを、犠牲セルの通信に対して信号干渉を生じさせるセルとみなしてもよく、当該犠牲セルを、通信中に干渉源セルから干渉を受信するセルとみなしてもよい。当該第１の基地局を干渉源セルにサービス提供する基地局とし、当該第２の基地局を犠牲セルの基地局としてもよいことは当業者に理解される。複数の第２のセル（即ち、犠牲セル）が１つの第２の基地局によりサービス提供されてもよく、または、様々な第２の基地局によってサービス提供されてもよい。例えば、干渉源セルおよび犠牲セルは隣接セルである。別の例では、犠牲セルと干渉源セルにサービス提供する基地局がマクロ基地局、またはマクロ−ミクロ基地局、またはミクロ基地局等であってもよく、本発明の実施形態によっては限定されない。
【００１７】
本発明の別の実施形態では、時間領域のセル間干渉調整機構を導入する。当該機構においては、干渉源セルが、略ブランク・サブフレーム（Ａｌｍｏｓｔ  Ｂｌａｎｋ  Ｓｕｂｆｒａｍｅ、省略してＡＢＳ）を有するサブフレーム・フォーマットを犠牲セルに送信して、干渉源セルと犠牲セルの混合配置におけるチャネル干渉の問題を解決する。略ブランク・サブフレームとは、無線リソースに対して電力が低いかまたはあまりアクティブでないサブフレームのことをいう。例えば、略ブランク・サブフレームはデータおよび制御信号を運搬しない。別の例として、略ブランク・サブフレームはデータを運搬しないが制御信号の全部または一部は運搬する。本発明における非略ブランク・サブフレームとは、無線リソース上で通常の電力を有するサブフレームをいう。例えば、非略ブランク・サブフレームは、情報を正常に運搬できるサブフレームである。
【００１８】
本発明の別の実施形態では、様々な略ブランク・サブフレームを様々な第２のセルに対して構成してもよく、各略ブランク・サブフレームの送信電力を当該第２のセルに関する調整情報に従って適合的に調節してもよい。その結果、略ブランク・サブフレームに対する第２の基地局の信号送信が保護される。即ち、第２の基地局は略ブランク・サブフレームに対して通常電力のデータ送信を実施でき、第１のセルと第２のセルの間の干渉を防止することができる。
【００１９】
以下で、添付図面を参照して諸実施形態を詳細に説明する。
【００２０】
本発明の第１の実施形態では通信方法を提供する。図１に示すように、本方法は以下を含む。
【００２１】
Ｓ１０１では、第１のセルにサービス提供する第１の基地局が、第２の基地局の第２のセルに関して取得した調整情報に従って、略ブランク・サブフレームの位置および当該略ブランク・サブフレームの送信電力を決定する。
【００２２】
Ｓ１０２では、当該調整情報、当該略ブランク・サブフレームの位置、および当該略ブランク・サブフレームの送信電力に従って第２のセルのフレーム構造を決定する。
【００２３】
本実施形態では、略ブランク・サブフレームの構成により、第１の基地局は略ブランク・サブフレームのデータを端末装置に送信せず、第２の基地局は略ブランク・サブフレームのデータを通常の電力で端末装置に送信することができる。したがって、端末装置は、第２の基地局が送信したデータを受信するときに第１の基地局からチャネル干渉を受信せず、干渉信号プラス雑音比率が要件を満たすことができ、略ブランク・サブフレーム上の第１の基地局のスペクトル効率が改善される。様々な時間領域の送信リソースも第２のセルの様々なサービス要件に従って柔軟に割り当てることができる。
【００２４】
本発明の第２の実施形態では通信方法を提供する。図２に示すように、本方法は以下を含む。
【００２５】
Ｓ２０１では、第１のセルにサービス提供する第１の基地局が、第２の基地局の第２のセルに関して取得した調整情報に従って、略ブランク・サブフレームの位置と当該略ブランク・サブフレームの送信電力を決定する。
【００２６】
Ｓ２０２では、第１の基地局が、第２のセルに関する調整情報、当該略ブランク・サブフレームの位置、および当該略ブランク・サブフレームの送信電力に従って当該第２のセルのフレーム構造を決定し、当該フレーム構造を第２の基地局に送信する。
【００２７】
Ｓ２０１では、第２のセルの調整情報を、第１の基地局がサブフレーム・フォーマットを構成する前に第１の基地局により取得してもよく、または、第１の基地局により前もって取得してもよく、複数のモードで取得することができる。本実施形態では、第１の基地局がＸ２インタフェース、Ｓ１インタフェース、またはＵｕインタフェース等を介して第２のセルに関する調整情報を受信してもよい。例えば、第１の基地局および第２の基地局の間でＵｕインタフェースを介して情報を送受信するとき、第２の基地局が調整情報を第２のセルにブロードキャストまたは送信し、第１の基地局が当該調整情報を読み出してもよく、または、端末装置も当該調整情報を読み出して当該調整情報を第１の基地局に報告してもよい。
【００２８】
第２のセルに関する調整情報が、当該第２のセルの現在負荷および第２のセルが許容可能な第１の基地局の最大送信電力であってもよい。または、第２のセルに関する調整情報が当該第２のセルの現在負荷と干渉閾値であってもよい。第２のセルの現在負荷とは第２のセルの無線リソース負荷のことをいう。当該干渉閾値は、第１の基地局により引き起こされ第２のセルにより受信される無線周波数干渉の閾値である。本実施形態では、当該干渉閾値を、第１の基地局により第２のセルに対して引き起こされた無線周波数干渉の最大値として理解してもよい。当該干渉閾値を、第１の基地局により送信され第２のセルにより受信される受信電力の最大値として理解してもよい。勿論、他の実施形態では、第１のセルの現在負荷を、第１の基地局により第２のセルに対して引き起こされた無線周波数干渉の重み付き値として使用し、干渉閾値の固有な値を当該重み付き値に従って決定し干渉閾値として使用する。第１のセルの現在負荷とは第１のセルの無線リソース負荷をいう。
【００２９】
第２のセルが許容可能な第１の基地局の最大送信電力を、第２のセルの干渉閾値と第１のセルと第２のセルの間の経路損失とに従って決定してもよい。例えば、第１の基地局が、第１のセルと第２のセルの間の経路損失に対する第２のセルの干渉閾値の比に従って、第２のセルが許容可能な第１の基地局の最大送信電力を決定してもよい。あるいは、第２の基地局が、第１のセルと第２のセルの間の経路損失に対する第２のセルの干渉閾値の比に従って、第２のセルが許容可能な第１の基地局の最大送信電力を決定し、第２の基地局が第２のセルが許容可能な第１の基地局の最大送信電力を第１の基地局に送信する。
【００３０】
例えば、第１の基地局が、第１のセルと第２のセルの相対的な物理位置を取得して、第１のセルと第２のセルの間の経路損失を決定してもよい。経路損失の決定を、第１の基地局によって実行してもよく、または、第２の基地局によって実行してもよい。
【００３１】
Ｓ２０１はさらに、第１の基地局によって、第２のセルが許容可能な第１の基地局の最大送信電力を決定するステップと、第１の基地局によって、第２のセルが許容可能な第１の基地局の最大送信電力に従って、当該略ブランク・サブフレームに対応する当該略ブランク・サブフレームの送信電力を決定するステップを含む。
【００３２】
略ブランク・サブフレームの位置を多種の情報により具体化してもよい。例えば、当該略ブランク・サブフレームの位置を、略ブランク・サブフレームのサブフレーム数により具体化してもよい。即ち、略ブランク・サブフレームのサブフレーム数が決定されると当該略ブランク・サブフレームの位置が決定される。別の例として、当該略ブランク・サブフレームの位置を略ブランク・サブフレームの量により具体化してもよい。サブフレームの総量と略ブランク・サブフレームの量が決定されると、当該略ブランク・サブフレームの位置が一定の規則または事前の合意に従って決定される。別の例として、当該略ブランク・サブフレームの位置を、フレーム構造内の第１の略ブランク・サブフレームの位置情報と、フレーム構造内の他の略ブランク・サブフレームおよび第１の略ブランク・サブフレームの間の位置間隔に関する情報とにより具体化してもよい。勿論、当該略ブランク・サブフレームの位置を決定できる限り、当該略ブランク・サブフレームの位置を他の情報により具体化してもよく、これについては本明細書ではこれ以上説明しない。
【００３３】
本実施形態では、第１の基地局が、第２のセルの略ブランク・サブフレームの量を第２のセルの現在負荷率に従って決定してもよい。具体的には、第１の基地局が第２のセルの現在負荷を取得し、第２のセルの現在負荷率を式（１）に従って決定する。即ち、
第２のセルの現在負荷率＝第２のセルの現在負荷／（全ての第２のセルの総現在負荷＋第１のセルの負荷）                                                式（１）
【００３４】
さらに、図５に示すように、１つの第１のセルおよび４つの第２のセル（Ａ、Ｂ、Ｃ、およびＤ）を含むネットワークシナリオを説明の例として使用する。第１のセルは干渉源セルであり、第２のセルは犠牲セルであって、式（１）に従って、第１のセルと全ての第２のセル（Ａ、Ｂ、Ｃ、およびＤ）の総負荷に対する第２のセルＡの現在負荷の現在負荷率は１０％であって、第１のセルと全ての第２のセル（Ａ、Ｂ、Ｃ、およびＤ）の総負荷に対する第２のセルＢ、Ｃ、およびＤの何れか１つの現在負荷の現在負荷率は２０％であると仮定する。したがって、第２のセル（Ａ、Ｂ、Ｃ、およびＤ）がそれぞれ必要とする略ブランク・サブフレームのサブフレーム量は２を超えないと判定することができる。例えば、第２のセルＡが必要とする略ブランク・サブフレームのサブフレーム量は１であり、第２のセルＢ、Ｃ、およびＤの何れか１つが必要とする略ブランク・サブフレームの量は２であると判定することができる。
【００３５】
本実施形態では、略ブランク・サブフレームの量を上述の方法に従って決定してもよく、フレーム構造内の略ブランク・サブフレームの位置を略ブランク・サブフレームの量に従って決定してもよい。勿論、当該略ブランク・サブフレームの位置を決定できる限り、当該略ブランク・サブフレームの位置を他の情報によりまたは所定のモードで具体化してもよく、これについては本明細書ではこれ以上説明しない。
【００３６】
Ｓ２０２では、特に、第２のセルが許容可能な第１の基地局の最大送信電力、当該略ブランク・サブフレームの位置、および当該略ブランク・サブフレームの送信電力に従って第１の基地局により第２のセルのフレーム構造を決定してもよく、または、当該第２のセルの当該干渉閾値、当該略ブランク・サブフレームの位置、および当該略ブランク・サブフレームの送信電力に従って第１の基地局により決定してもよい。第２のセルが許容可能な第１の基地局の最大送信電力を当該第２のセルの当該干渉閾値に従って計算してもよい。これについてはＳ２０１で詳細に説明されており、本明細書ではこれ以上説明しない。
【００３７】
例えば、図５に示すネットワークシナリオをさらに説明のための例として使用する。第１の基地局がそれぞれＰ１およびＰ２の異なる送信電力を有し、第２のセル（Ａ、Ｂ、Ｃ、およびＤ）が許容可能な第１の基地局の最大送信電力がそれぞれＰＡ、ＰＢ、ＰＣ、およびＰＤであり、ＰＢ＝ＰＣ＝ＰＤおよびＰ１≦ＰＡ＜Ｐ２≦ＰＢであると仮定する。
【００３８】
１０個のサブフレームを含むフレーム構造を例として使用する。当該フレーム構造が２つの略ブランク・サブフレームを含み、残りのサブフレームが非略ブランク・サブフレームであると仮定する。フレーム構造内の略ブランク・サブフレームの可能な位置は、送信電力がＰ１である略ブランク・サブフレームが第１のサブフレームであり、送信電力がＰ２である略ブランク・サブフレームが第２のサブフレームであるというものである。勿論、送信電力がそれぞれＰ１およびＰ２である略ブランク・サブフレームがフレーム構造内に配置された他のサブフレームであってもよく、例えば、送信電力がそれぞれＰ１およびＰ２である略ブランク・サブフレームがフレーム構造内に配置された第３のサブフレームおよび第４のサブフレームであってもよい。
【００３９】
第２のセル（Ｂ、Ｃ、およびＤ）に対して、ＰＢ＝ＰＣ＝ＰＤおよびＰ１≦ＰＡ＜Ｐ２≦ＰＢであるとき、第２の基地局は、第１の略ブランク・サブフレームおよび第２の略ブランク・サブフレームが、第２のセル（Ｂ、Ｃ、およびＤ）が許容可能な第１の基地局の最大送信電力ＰＢ、ＰＣ、およびＰＤを満たすと判定してもよい。したがって、第２の基地局が第２のセル（Ｂ、Ｃ、およびＤ）のフレーム構造、例えば、１１００００００００、または００１１１１１１１１を決定してもよい。即ち、第１の基地局に対して、第１のサブフレームおよび第２のサブフレームは略ブランク・サブフレームであり、第２の基地局に対して、通常電力の送信とデータ送信を第１のサブフレームおよび／または第２のサブフレームで実施することができ、それにより、第１のセルおよび第２のセル（Ｂ、Ｃ、およびＤ）の間の干渉が回避される。
【００４０】
第２のセルＡに対して、ＰＢ＝ＰＣ＝ＰＤおよびＰ１≦ＰＡ＜Ｐ２≦ＰＢであるとき、第２の基地局は、第１の略ブランク・サブフレームの送信電力が、第２のセルＡが許容可能な第１の基地局の最大送信電力ＰＡを満たすと判定してもよい。したがって、第２の基地局が第２のセルＡのフレーム構造を、例えば、１０００００００００、または０１１１１１１１１１と決定してもよい。即ち、第１の基地局に対して、第１のサブフレームは略ブランク・サブフレームであり、第２の基地局に対して、通常電力の送信およびデータ送信を第１のサブフレームで実施してもよく、それにより、第１のセルと第２のセルＡの間の干渉が回避される。
【００４１】
さらに、第１の基地局は、第２のセル（Ａ、Ｂ、Ｃ、およびＤ）にサービス提供する第２の基地局に当該フレーム構造を送信する。
【００４２】
本実施形態では、第１の基地局は、Ｘ２インタフェースを介して、第２のセルにサービス提供する第２の基地局にフレーム構造を送信する。あるいは、第１の基地局は、Ｓ１インタフェースまたはＵｕインタフェース（Ｕｕインタフェースは、例えば、エア・インタフェースである）を介して、第２のセルにサービス提供する第２の基地局に当該フレーム構造を送信する。例えば、情報がＵｕインタフェースを介して第１の基地局と第２の基地局の間で送受信されるとき、第１の基地局は、第１の基地局によって制御される第１のセルのブロードキャストで当該フレーム構造を送信し、第２の基地局は当該ブロードキャストを読み取って当該フレーム構造を取得する。別の例として、端末装置が第１のセル内のブロードキャストを読み取った後、端末装置は当該フレーム構造を第２の基地局に報告する。
【００４３】
本実施形態で提供する解決策では、第１の基地局が第２のセルのフレーム構造を決定し当該フレーム構造を第２の基地局に送信してもよく、その結果、第１のセルと第２のセルの間の干渉が減少する。一方、第２の基地局は、第１の基地局によって第２のセルに対して決定されたフレーム構造の略ブランク・サブフレームに従ってデータ送信を実施してもよく、その結果、略ブランク・サブフレームに対する第１のセルのスペクトル効率が改善する。略ブランク・サブフレームの構成では第２のセルの関連情報を完全に考慮しているので、様々な時間領域の送信リソースを、第２のセルの様々なサービス要件に従って柔軟に割り当てることができる。
【００４４】
本発明の第３の実施形態では通信方法を提供する。図３に示すように、本方法は以下を含む。
【００４５】
Ｓ３０１では、第１のセルにサービス提供する第１の基地局が、略ブランク・サブフレームの位置と当該略ブランク・サブフレームの送信電力を、当該第２の基地局の第２のセルに関して取得した調整情報に従って決定する。
【００４６】
３０２では、第２の基地局が当該調整情報、当該略ブランク・サブフレームの送信電力、および当該略ブランク・サブフレームの位置に従って当該第２のセルのフレーム構造を決定するように、当該第１の基地局は当該略ブランク・サブフレームの送信電力と当該略ブランク・サブフレームの位置を当該第２の基地局に送信する。
【００４７】
Ｓ３０１は第２の実施形態におけるＳ２０１とほぼ同じであるので、本明細書ではこれ以上説明しない。
【００４８】
Ｓ３０２では、第１の基地局は略ブランク・サブフレームの送信電力と対応する位置を第２の基地局に通知し、第２の基地局は、第２のセルが許容可能な第１の基地局の最大送信電力および当該第２のセルの当該干渉閾値に従って、利用可能なフレーム構造を自ら決定する。
【００４９】
具体的には、第２の基地局は、第２のセルが許容可能な第１の基地局の最大送信電力、当該略ブランク・サブフレームの位置、および当該略ブランク・サブフレームの送信電力に従って第２のセルのフレーム構造を決定し、または、第２の基地局は、当該第２のセルの干渉閾値、当該略ブランク・サブフレームの位置、および当該略ブランク・サブフレームの送信電力に従って第２のセルのフレーム構造を決定する。
【００５０】
第２のセルが許容可能な第１の基地局の最大送信電力を当該第２のセルの干渉閾値に従って計算してもよく、その詳細については、第２の実施形態の関連する説明を参照することができるので、本明細書ではこれ以上説明しない。
【００５１】
例えば、さらに図５に示すように、第１のセルおよび第２のセル（Ａ、Ｂ、Ｃ、およびＤ）を含むネットワーク・シナリオを説明の例として使用する。１０個のサブフレームを含むフレーム構造を例として使用する。当該フレーム構造が２つの略ブランク・サブフレームを含み、残りのサブフレームが非略ブランク・サブフレームであると仮定する。フレーム構造内の略ブランク・サブフレームの可能な位置は、送信電力がＰ１である略ブランク・サブフレームが第１のサブフレームであり、送信電力がＰ２である略ブランク・サブフレームが第２のサブフレームであるというものである。フレーム構造内の第１のサブフレームおよび第２のサブフレームに対応する略ブランク・サブフレームの送信電力はそれぞれＰ１＝３０ｄＢｍおよびＰ２＝３９ｄＢｍであり、第２のセル（Ａ、Ｂ、Ｃ、およびＤ）が許容可能な第１の基地局の最大送信電力はそれぞれＰＡ、ＰＢ、ＰＣ、およびＰＤであり、ＰＢ＝ＰＣ＝ＰＤおよびＰ１≦ＰＡ＜Ｐ２≦ＰＢであると仮定する。このシナリオでは、第１の基地局は、略ブランク・サブフレームの位置および略ブランク・サブフレームに対応する送信電力情報のみを第２の基地局に送信し、非略ブランク・サブフレームに対応する送信電力情報を送信しなくともよい。例えば、当該送信電力情報を、表１に示す形で第２の基地局に送信してもい。勿論、第２の基地局が略ブランク・サブフレームの位置および略ブランク・サブフレームに対応する送信電力を決定できる限り、第１の基地局が非略ブランク・サブフレームに対応する電力情報を第２の基地局に送信してもよいか、または、略ブランク・サブフレームの位置および略ブランク・サブフレームに対応する送信電力情報を他の形で第２の基地局に送信してもよいことは当業者には既知である。
【００５２】
【表１】
0005668956.tif 000002
【００５３】
第２のセル（Ａ、Ｂ、Ｃ、およびＤ）にサービス提供する第２の基地局が表１に示す情報を受信するとき、第２の基地局は先ず、第１のサブフレームおよび第２のサブフレームが略ブランク・サブフレームであると判定し、対応する送信電力を決定する。
【００５４】
ＰＢ＝ＰＣ＝ＰＤおよびＰ１≦ＰＡ＜Ｐ２≦ＰＢに従って、第１の略ブランク・サブフレームと第２の略ブランク・サブフレームの送信電力が、第２のセル（Ｂ、Ｃ、およびＤ）が許容可能な第１の基地局の最大送信電力を満たすと第２の基地局が判定してもよい。したがって、第２の基地局が第２のセル（Ｂ、Ｃ、およびＤ）のフレーム構造を、例えば、１１００００００００、または００１１１１１１１１と決定してもよい。即ち、第１の基地局に対して、第１のサブフレームと第２のサブフレームは略ブランク・サブフレームであり、第２の基地局に対して、通常電力の送信とデータ送信を第１のサブフレームおよび／または第２のサブフレームで実施してもよく、それにより、第１のセルと第２のセルＥの間の干渉が回避される。勿論、送信電力がそれぞれＰ１およびＰ２である略ブランク・サブフレームがフレーム構造内に配置された他のサブフレームであってもよい。例えば、送信電力がそれぞれＰ１およびＰ２である略ブランク・サブフレームがフレーム構造内に配置された第３のサブフレームおよび第４のサブフレームであってもよい。これについては本明細書ではこれ以上説明しない。
【００５５】
同様に、ＰＢ＝ＰＣ＝ＰＤおよびＰ１≦ＰＡ＜Ｐ２≦ＰＢに従って、第２のセルＡが許容可能な第１の基地局の最大送信電力を第１の略ブランク・サブフレームの送信電力が満たすと第２の基地局が判定してもよい。したがって、第２の基地局が第２のセルＡのフレーム構造を、例えば、１０００００００００、または０１１１１１１１１１と決定してもよい。即ち、第１の基地局に対して、第１のサブフレームが略ブランク・サブフレームであり、第２の基地局に対して、通常電力の送信とデータ送信を第１のサブフレームで実施してもよく、それにより、第１のセルと第２のセルＡの間の干渉が回避される。
【００５６】
別の例として、表２に示すように、１つの第１のセルおよび４つの第２のセル（Ｅ、Ｆ、Ｇ、およびＨ）を含むネットワークシナリオを説明の例として使用する。
【００５７】
第２のセル（Ｅ、Ｆ、Ｇ、およびＨ）が許容可能な第１の基地局の最大送信電力がそれぞれＰｅ、Ｐｆ、Ｐｇ、およびＰｈであると仮定する。
【００５８】
上述の式（１）に従って、第１の基地局が第２のセル（Ｅ、Ｆ、Ｇ、およびＨ）の各々の現在負荷率を計算する。第２のセルＧの現在負荷率が第２のセル（Ｅ、Ｆ、Ｇ、およびＨ）において最大であり、第２のセル（Ｅ、Ｆ、Ｇ、およびＨ）のうち任意の１つが必要とする略ブランク・サブフレームの量が所定のモードまたは第２の実施形態で説明したモードに従って決定されると仮定する。略ブランク・サブフレームの決定された量に従って、フレーム構造内の当該略ブランク・サブフレームの位置をさらに決定してもよい。勿論、当該略ブランク・サブフレームの位置を所定のモードまたは第２の実施形態で説明したモードに従って決定してもよく、これについては本明細書ではこれ以上説明しない。
【００５９】
さらに、第１の基地局は、第２のセル（Ｅ、Ｆ、Ｇ、およびＨ）が許容可能な第１の基地局の最大送信電力に従って当該略ブランク・サブフレームの送信電力を決定し、当該略ブランク・サブフレームの位置と略ブランク・サブフレームの送信電力情報を第２の基地局に送信する。第２の基地局は、略ブランク・サブフレームの位置と略ブランク・サブフレームの送信電力情報とを受信し、第２のセル（Ｅ、Ｆ、Ｇ、およびＨ）ごとのフレーム構造を、それぞれ第２のセル（Ｅ、Ｆ、Ｇ、およびＨ）が許容可能な第１の基地局の最大送信電力に従って決定する。
【００６０】
第２の、第４の、第６の、および第８のサブフレームが略ブランク・サブフレームであり、対応する送信電力がそれぞれＰ２、Ｐ４、Ｐ６、およびＰ８であると第１の基地局が判定すると仮定する。第１の基地局が、当該位置および略ブランク・サブフレームに対応する送信電力を表２に示す形で第２の基地局に送信してもよい。勿論、当該位置および当該略ブランク・サブフレームの送信電力を他の形で送信してもよく、これについては本明細書ではこれ以上説明しない。
【００６１】
【表２】
0005668956.tif 000003
【００６２】
第２のセルＥが許容可能な第１の基地局の最大送信電力はＰｅである。Ｐ２≦Ｐｅ、Ｐ４＞Ｐｅ、Ｐ６＞Ｐｅ、およびＰ８≦Ｐｅである場合には、第２の基地局は、第２のおよび第８の略ブランク・サブフレームの送信電力が、第２のセルＥが許容可能な第１の基地局の最大送信電力を満たすと判定してもよい。したがって、第２の基地局が第２のセルＥのフレーム構造を、例えば、０１０００００１００、または１０１１１１１０１１と決定してもよい。即ち、第１の基地局に対して、第２のおよび第８のサブフレームは略ブランク・サブフレームであり、第２の基地局に対して、通常電力の送信とデータ送信を第２のサブフレームおよび／または第８のサブフレームで実施してもよく、それにより、第１のセルと第２のセルＥの間の干渉が回避される。
【００６３】
第２のセルＦが許容可能な第１の基地局の最大送信電力はＰｆである。Ｐ２≦Ｐｆ、Ｐ４≦Ｐｆ、Ｐ６＞Ｐｆ、およびＰ８≦Ｐｆである場合には、第２の基地局は、第２の、第４の、および第８の略ブランク・サブフレームの送信電力が、第２のセルＦが許容可能な第１の基地局の最大送信電力を満たすと判定してもよい。したがって、第２の基地局が第２のセルＦのフレーム構造を、例えば、０１０１０００１００、または１０１０１１１０１１と決定してもよい。即ち、第１の基地局に対して、第２の、第４の、および第８のサブフレームが略ブランク・サブフレームであり、および第２の基地局に対して、通常電力の送信とデータ送信を第２のサブフレーム、および／または第４のサブフレーム、および／または第８のサブフレームの様々な構成で実施してもよく、それにより、第１のセルおよび第２のセルＦの間の干渉が回避される。例えば、第２の基地局が、通常電力の送信とデータ送信を第２のサブフレームで、または第２のおよび第４のサブフレームで、または第２の、第４の、および第８のサブフレームで実施してもよく、これについては本明細書ではこれ以上説明しない。
【００６４】
第２のセルが許容可能な第１の基地局の最大送信電力ＧはＰｇである。Ｐ２≦Ｐｇ、Ｐ４≦Ｐｇ、Ｐ６≦Ｐｇ、およびＰ８≦Ｐｇである場合には、第２の基地局は、第２の、第４の、第６の、および第８の略ブランク・サブフレームの全ての送信電力が、第２のセルＧが許容可能な第１の基地局の最大送信電力を満たすと判定してもよい。したがって、第２の基地局が第２のセルＧのフレーム構造を、例えば、０１０１０１０１００、または１０１０１０１０１１と決定してもよい。即ち、第１の基地局に対して、第２の、第４の、第６の、および第８のサブフレームが略ブランク・サブフレームである。第２の基地局に対して、通常電力の送信とデータ送信を、第２のサブフレーム、および／または第４のサブフレーム、および／または第６のサブフレーム、および／または第８のサブフレームの様々な構成で実施してもよく、それにより、第１のセルと第２のセルＧの間の干渉が回避される。これについては本明細書ではこれ以上説明しない。
【００６５】
第２のセルＨが許容可能な第１の基地局の最大送信電力はＰｈである。Ｐ２≦Ｐｈ、Ｐ４＞Ｐｈ、Ｐ６＞Ｐｈ、およびＰ８＞Ｐｈである場合には、第２の基地局は第２の略ブランク・サブフレームの送信電力が、第２のセルＨが許容可能な第１の基地局の最大送信電力を満たすと判定してもよい。したがって、第２の基地局が、第２のセルＨのフレーム構造を、例えば、０１００００００００、または１０１１１１１１１１と決定してもよい。即ち、第１の基地局に対して、第２のサブフレームが略ブランク・サブフレームである。第２の基地局に対して、通常電力の送信とデータ送信を第２のサブフレームで実施してもよく、それにより、第１のセルと第２のセルＨの間の干渉が回避される。
【００６６】
本実施形態では、第１の基地局が、Ｘ２インタフェースを介して、当該略ブランク・サブフレームのサブフレーム位置および送信電力を、第２のセルにサービス提供する第２の基地局に送信する。あるいは、第１の基地局が、Ｓ１インタフェースまたはＵｕインタフェース（Ｕｕインタフェース、例えば、エア・インタフェースである）を介して、当該略ブランク・サブフレームのサブフレーム位置および送信電力を、第２のセルにサービス提供する第２の基地局に送信する。例えば、情報がＵｕインタフェースを介して第１の基地局と第２の基地局の間で送受信されるとき、第１の基地局は、第１の基地局によって制御される第１のセルのブロードキャストで当該略ブランク・サブフレームのサブフレーム位置および送信電力を送信し、第２の基地局は当該ブロードキャストを読み取って当該略ブランク・サブフレームのサブフレーム位置および送信電力を取得する。別の例として、第１のセル内のブロードキャストを読み取った後、端末装置は当該略ブランク・サブフレームのサブフレーム位置および送信電力を第２の基地局に報告する。
【００６７】
したがって、第３の実施形態では、第２の基地局は第１の基地局によって送信された略ブランク・サブフレームの位置と送信電力を受信し、第２のセルが許容可能な第１の基地局の最大送信電力に従って第２のセルのフレーム構造を自ら決定する。その結果、第１のセルと第２のセルの間の干渉が減少し、略ブランク・サブフレームに対する第１のセルのスペクトル効率が改善する。様々な時間領域の送信リソースを、第２のセルの様々なサービス要件に従って柔軟に割り当ててもよい。
【００６８】
本発明の第４の実施形態では通信方法を提供する。図４に示すように、当該方法は以下を含む。
【００６９】
Ｓ４０１では、第１のセルにサービス提供する第１の基地局はサブフレームの送信電力を第２の基地局の第２のセルに関して取得した調整情報に従って決定する。
【００７０】
Ｓ４０２では、第１の基地局はサブフレームの送信電力を第２の基地局に送信して、第２の基地局がサブフレームの送信電力および調整情報に従って第２のセルのフレーム構造を決定するようにする。
【００７１】
Ｓ４０１では、第１の基地局が決定したサブフレームの送信電力が、決定されたフレーム構造における略ブランク・サブフレームの送信電力と、非略ブランク・サブフレームの送信電力を含む。第１の基地局によって第２のセルに関する調整情報に従って略ブランク・サブフレームの位置および当該略ブランク・サブフレームの送信電力を決定するステップは、第２の実施形態におけるＳ２０１および第３の実施形態におけるＳ３０１と同じである。さらに、第１の基地局は非略ブランク・サブフレームの送信電力を第１のセルの現在負荷に従って自ら取得してもよく、これについては本明細書ではこれ以上説明しない。
【００７２】
Ｓ４０２では、第２の基地局が、サブフレームの送信電力および第２のセルが許容可能な第１の基地局の最大送信電力に従って、または、サブフレームの送信電力および第２のセルの干渉閾値に従って、第２のセルのフレーム構造を決定する。
【００７３】
第２のセルが許容可能な第１の基地局の最大送信電力を第２のセルの干渉閾値に従って計算してもよく、詳細については、第２の実施形態における関連する説明を参照できるので、これについては本明細書ではこれ以上説明しない。
【００７４】
例えば、第１の基地局が、全てのサブフレームとその電力情報を第２の基地局に送信してもよい。例えば、サブフレームの送信電力が表３に示す形で第２の基地局に送信される。または、サブフレームの送信電力を他の形で第２の基地局に送信してもよい。
【００７５】
【表３】
0005668956.tif 000004
【００７６】
図５に示すネットワーク・シナリオをなお説明の例として使用すると、第２の基地局が図３に示す情報を受信した後、第２の基地局は、各サブフレームの送信電力に従って、第２のおよび第８のサブフレームが略ブランク・サブフレームであると判定し、対応する当該略ブランク・サブフレームの送信電力を決定する。第２の基地局によって、略ブランク・サブフレームの位置および対応する送信電力、ならびに第２のセルが許容可能な第１の基地局の最大送信電力に従って、または、略ブランク・サブフレームの位置および対応する送信電力、ならびに第２のセルの干渉閾値に従って、第２のセルのフレーム構造を決定するモードについては、第３の実施形態における関連する説明を参照できるので、これについては本明細書ではこれ以上説明しない。
【００７７】
本実施形態では、第１の基地局は、Ｘ２インタフェースを介して、サブフレームの送信電力を第２のセルにサービス提供する第２の基地局に送信する。あるいは、第１の基地局は、Ｓ１インタフェースまたはＵｕインタフェース（Ｕｕインタフェースは、例えば、エア・インタフェースである）を介して、サブフレームの送信電力を第２のセルにサービス提供する第２の基地局に送信する。例えば、Ｕｕインタフェースを介して第１の基地局と第２の基地局の間で情報が送受信されるとき、第１の基地局は、第１の基地局によって制御される第１のセルのブロードキャストでサブフレームの送信電力を送信し、第２の基地局は当該ブロードキャストを読み取って当該サブフレームの送信電力を取得する。別の例として、端末装置が第１のセル内のブロードキャストを読み取った後、端末装置は当該サブフレームの送信電力を第２の基地局に報告する。
【００７８】
本実施形態で提供する解決策では、第２の基地局が第１の基地局から受信したサブフレーム送信電力および第２のセルが許容可能な第１の基地局の最大送信電力に従ってフレーム構造を自ら決定することができ、その結果、第１のセルと第２のセルの間の干渉が減少し、略ブランク・サブフレームに対する第１のセルのスペクトル効率が改善する。様々な時間領域の送信リソースを、第２のセルの様々なサービス要件に従って柔軟に割り当てることができる。
【００７９】
本発明の第５の実施形態では基地局を提供する。図６に示すように、基地局の主要な構造は、第２の基地局の第２のセルに関する調整情報を受信するように構成された第１の受信器５１と、第２のセルに関する調整情報に従って略ブランク・サブフレームの位置と当該略ブランク・サブフレームの送信電力を決定し、当該調整情報、当該略ブランク・サブフレームの位置、および当該略ブランク・サブフレームの送信電力に従って当該第２のセルのフレーム構造を決定するように構成された第１のプロセッサ５２と、当該フレーム構造を第２の基地局に送信するように構成された第１の送信器５３とを備える。
【００８０】
第１のプロセッサ５２は、第２のセルの干渉閾値および基地局の第１のセルと第２のセルの間の経路損失に従って第２のセルが許容可能な基地局の最大送信電力を決定するようにさらに構成される。
【００８１】
第１のプロセッサ５２はさらに、第２のセルが許容可能な基地局の最大送信電力に従って略ブランク・サブフレームの送信電力を決定するように構成される。
【００８２】
基地局は、第４の実施形態における略ブランク・サブフレームを構成するための方法において第１の基地局が実行する動作を実施してもよい。例えば、第１のプロセッサ５２が第１の実施形態におけるＳ１０２の動作を実行してもよく、第２の実施形態におけるＳ２０２の動作を実行してもよく、その結果、第１のセルと第２のセルの間の干渉が減少し、略ブランク・サブフレームに対する第１のセルのスペクトル効率が改善する。様々な時間領域の送信リソースを、第２のセルの様々なサービス要件に従って柔軟に割り当ててもよい。
【００８３】
本発明の第６の実施形態では基地局を提供する。図７に示すように、基地局の主要な構造は、当該基地局の第２のセルに関する調整情報を第１のセルにサービス提供する第１の基地局に送信するように構成された第２の送信器６１と、略ブランク・サブフレームの位置および当該略ブランク・サブフレームの送信電力を受信するように構成された第２の受信器６２であって、当該略ブランク・サブフレームの位置および当該略ブランク・サブフレームの送信電力は当該調整情報に従って第１の基地局によって決定される第２の受信器６２と、当該調整情報、当該略ブランク・サブフレームの位置、および当該略ブランク・サブフレームの送信電力に従って第２のセルのフレーム構造を決定するように構成された第２のプロセッサ６３とを備える。
【００８４】
第２のプロセッサ６３はさらに、第２のセルの干渉閾値および第１のセルと第２のセルの間の経路損失に従って、第２のセルが許容可能な第１の基地局の最大送信電力を決定するように構成される。
【００８５】
当該基地局は、第１乃至第４の実施形態における略ブランク・サブフレームを構成するための方法において第２の基地局が実行する動作を実施してもよい。例えば、第２のプロセッサ６３が、第１の実施形態におけるＳ１０２の動作を実行してもよく、第３の実施形態におけるＳ２０２の動作を実行してもよく、その結果、第１のセルと第２のセルの間の干渉が減少し、略ブランク・サブフレームに対する第１のセルのスペクトル効率が改善する。様々な時間領域の送信リソースを、第２のセルの様々なサービス要件に従って柔軟に割り当ててもよい。
【００８６】
本実施形態における第１のセル（例えば、干渉源セル）および第２のセル（例えば、犠牲セル）は相対的であって第２のセルが第１のセルに対して犠牲セルであってもよく、他のセルに対して干渉源セルであってもよいことは当業者には理解される。本実施形態における基地局が犠牲セルの基地局の役割を果たしてもよく、または、干渉源セルの基地局の役割を果たしてもよく、第５の実施形態における基地局の機能を含んでもよい。
【００８７】
本発明の第７の実施形態では端末装置を提供する。図８に示すように、端末装置の主要な構造は、第２の基地局の第２のセルのフレーム構造を受信するように構成された第３の受信器７１であって、当該フレーム構造は第１の基地局により第１のセルにおいて送信され、当該フレーム構造は、第１の基地局により、第２のセルの調整情報、略ブランク・サブフレームのサブフレーム位置、および当該略ブランク・サブフレームの送信電力に従って決定される第３の受信器７１と、当該フレーム構造を第２の基地局に送信するように構成された第３の送信器７２と、を備える。
【００８８】
本発明の第８の実施形態では端末装置を提供する。図９に示すように、端末装置の主要な構造は、略ブランク・サブフレームのサブフレーム位置と当該略ブランク・サブフレームの送信電力とを受信するように構成された第４の受信器８１であって、当該略ブランク・サブフレームのサブフレーム位置と当該略ブランク・サブフレームの送信電力とは、第１の基地局により第１のセルで送信され、第２の基地局の第２のセルに関する調整情報に従って決定される第４の受信器８１と、第２のセルに関する調整情報、略ブランク・サブフレームのサブフレーム位置、当該略ブランク・サブフレームの送信電力に従って第２の基地局が第２のセルのフレーム構造を決定するように、当該略ブランク・サブフレームのサブフレーム位置と当該略ブランク・サブフレームの送信電力とを第２の基地局に送信するように構成された第４の送信器８２と、を備える。
【００８９】
本発明の第７のおよび第８の実施形態における第１の基地局は、第１乃至第４の実施形態における略ブランク・サブフレームを構成するための方法において第１の基地局が実行する動作を実施してもよい。例えば、第１の基地局が第１の実施形態におけるＳ１０２の動作を実行してもよく、第２の実施形態におけるＳ２０２の動作を実行してもよい。本発明の第７のおよび第８の実施形態における第２の基地局は、第１乃至第４の実施形態における略ブランク・サブフレームを構成するための方法において第２の基地局が実行する動作を実施してもよい。例えば、第２の基地局が、第１の実施形態におけるＳ１０２の動作を実行してもよく、第３の実施形態におけるＳ２０２の動作を実行してもよい。したがって、第７のおよび第８の実施形態における端末装置は第２の基地局が送信したメッセージを正常に受信することができ、端末装置に対する第１の基地局による干渉が減少する。
【００９０】
本発明はさらに通信システムを提供する。当該通信システムは、前述の実施形態における第１の基地局、第２の基地局、および端末装置を備える。当該通信システムでは、略ブランク・サブフレームの構成を介して第１の基地局と第２の基地局の間のデータ通信における干渉が回避され、端末装置は第１の基地局と第２の基地局が送信したメッセージを正常に受信することができ、その結果、略ブランク・サブフレームに対する第１のセルのスペクトル効率が改善する。様々な時間領域の送信リソースを、第２のセルの様々なサービス要件に従って柔軟に割り当ててもよい。
【００９１】
以上の実施形態は本発明の技術的解決策を説明するために使用されるにすぎず、本発明を限定しようとするものではない。本発明を以上の実施形態を参照して詳細に説明したが、当該実施形態で説明した技術的解決策に修正を加えることができ、または、その一部の技術的特徴に対して均等な置換えを行うことが、かかる修正または置換えが対応する技術的解決策の本質を本発明の実施形態により提供される技術的解決策の範囲から逸脱させない限り、依然として当業者により行いうることは当業者により理解される。
【符号の説明】
【００９２】
５１  第１の受信器
５２  第１のプロセッサ
５３  第１の送信器
６１  第２の送信器
６２  第２の受信器
６３  第２のプロセッサ
７１  第３の受信器
７２  第３の送信器
８１  第４の受信器
８２  第４の送信器
【図１】
0005668956.tif 000005
【図２】
0005668956.tif 000006
【図３】
0005668956.tif 000007
【図４】
0005668956.tif 000008
【図５】
0005668956.tif 000009
【図６】
0005668956.tif 000010
【図７】
0005668956.tif 000011
【図８】
0005668956.tif 000012
【図９】
0005668956.tif 000013